(57)【特許請求の範囲】
【請求項１】
磁性体のリードと、磁性体の常開接点と、非磁性体の常閉接点とにより構成され、磁極の方向が互いに反対の補助磁石をそれぞれ添設したした２つの切換型リードスイッチを、全閉状態における内側窓と外側窓との重なり部の近傍の窓枠に間隔をあけて設け、
全閉状態における上記２つの切換型リードスイッチに対向する内側窓および外側窓の部位にそれぞれ動作用磁石を設け、
上記２つの切換型リードスイッチの常閉接点を直列に接続して２つの端子にそれぞれ接続し、
全閉状態における上記動作用磁石の磁極の方向を、対向する切換型リードスイッチに添設した上記補助磁石の磁極の方向と反対方向に設定したことを特徴とする引き違い窓の開窓検知装置。
【発明の詳細な説明】
【技術分野】
【０００１】
この発明は、引き違い窓に設置して、内側窓または外側窓の何れか１つの窓または両方の窓が開かれたときに動作する防犯検知装置に関する。
【背景技術】
【０００２】
一般的な窓は、アルミニウムの枠材を矩形に形成した窓枠と、この窓枠に横方向に開閉自在に嵌め込まれた内側窓および外側窓とからなり、これらの窓にガラス板を嵌め込んだものである。
【０００３】
泥棒などの侵入者が、引き違い窓のクレセント錠の部分のガラスを破壊して解錠し、引き違い窓を開けられることがある。
【０００４】
このように引き違い窓が開けられたときに警報を発する開窓検知装置として、図３（ａ）に示すように、窓枠８の左右両端部にリードスイッチ６をそれぞれ設け、内側窓91および外側窓92に磁石７をそれぞれ取り付けたものを使用して、窓を閉めたときに、窓枠８の左右に設けたリードスイッチ６に内側窓91および外側窓92の磁石７が対向して、その磁力によりリードスイッチ６が閉路している。
【０００５】
このように構成した開窓検知装置を各窓に設置して、全てのリードスイッチ６を直列に接続して通電する。全ての窓が閉まっていると、直列接続された全てのリードスイッチ６により閉回路を形成して通電可能であるが、図３（ｂ）に示すように、何れか１つの窓92が開けられると、リードスイッチ６より対向する磁石７が離れるので磁力が弱まってリードスイッチ６が開路され、通電不能となって警報を発するものである。
【０００６】
この図３に示す開窓検知装置においては、２つのリードスイッチ６が離れているので、配線工事の際に面倒であるから、図４（ａ）に示すように、全閉状態における内側窓91と外側窓92との重なり部分93に対向する位置の近傍に、２つのリードスイッチ６を１カ所にまとめて設け、全閉状態において２つのリードスイッチ６と対向する内側窓91および外側窓92の位置に磁石７をそれぞれ設けることが考えられる。
【０００７】
しかし、図４（ｂ）に示すように、内側窓91および外側窓92の左右の両側に隙間を形成するように両窓を開けると、２つのリードスイッチ６に２つの磁石７がそれぞれ対向するので、すべての窓が閉じられた状態と同じ状態を形成することになる。
【０００８】
そこで、内側窓および外側窓に、磁極の方向を反対にした２つの磁石を取り付け、２つのリードスイッチにロータリー磁石を併設して、内側窓および外側窓の磁極の方向を識別するように構成して、図４（ｂ）に示す状態になっても警報が停止しないように構成した引き違い窓の開窓検知装置が、下記特許文献１に開示されている。
【先行技術文献】
【特許文献】
【０００９】
【特許文献１】特開２００４−１２３８５号公報
【発明の概要】
【発明が解決しようとする課題】
【００１０】
このような従来の引き違い窓の開窓検知装置においては、リードスイッチに回動するロータリー磁石を併設しているので、組立および使用部品に要するコストがかかり、長期の使用により機械的な故障を生じることがあった。
【００１１】
そこで、この発明の引き違い窓の開窓検知装置は、このような従来の開窓検知装置の問題点を解決するために考えられたものである。
【課題を解決するための手段】
【００１２】
この発明の引き違い窓の開窓検知装置は、磁性体のリードと、磁性体の常開接点と、非磁性体の常閉接点とにより構成され、磁極の方向が互いに反対の補助磁石をそれぞれ添設したした２つの切換型リードスイッチを、全閉状態における内側窓と外側窓との重なり部の近傍の窓枠に間隔をあけて設け、全閉状態における上記２つの切換型リードスイッチに対向する内側窓および外側窓の部位にそれぞれ動作用磁石を設け、上記２つの切換型リードスイッチの常閉接点を直列に接続して２つの端子にそれぞれ接続し、全閉状態における上記動作用磁石の磁極の方向を、対向する切換型リードスイッチに添設した上記補助磁石の磁極の方向と反対方向に設定したものである。
【発明の効果】
【００１３】
この発明の引き違い窓の開窓検知装置によると、磁石を添設した切換型リードスイッチを用いることにより、組立および使用部品に要するコストを軽減することができ、長期の使用による機械的な故障を生じることなく信頼度を向上させることができる。
【図面の簡単な説明】
【００１４】
【図１】この発明の引き違い窓の開窓検知装置の実施の形態を示す概要図、
【図２】この発明の引き違い窓の開窓検知装置の動作原理を説明するための概要図、
【図３】従来の引き違い窓に開窓検知装置の設置状態の一例を説明するための説明図、
【図４】従来の引き違い窓に開窓検知装置の設置状態に他の一例を説明するための説明図である。
【発明を実施するための形態】
【００１５】
この発明の引き違い窓の開窓検知装置においては、切換型リードスイッチを使用する。図２（ａ）に示すように、切換型リードスイッチ１は、磁性体のリード1cと、磁性体の常開接点1aと、非磁性体の常閉接点1bとにより構成され、磁界が作用すると非磁性体の常閉接点1bがＯＦＦして磁性体の常開接点1aがＯＮするものである。
【００１６】
図２（ｂ）に示すように、切換型リードスイッチ１に予め補助磁石２を添設して磁界を作用させておくと、常閉接点1bがＯＦＦで常開接点1aがＯＮの状態になる。
【００１７】
このように補助磁石２の磁界により、常閉接点1bがＯＦＦで常開接点1aがＯＮの状態における切換型リードスイッチ１に、動作用磁石３を接近させたとき、図２（ｃ）に示すように、補助磁石２と動作用磁石３との磁極の方向が同じ方向に設定されている場合には、切換型リードスイッチ１を通る磁束は強められるので、常開接点1aがＯＮのままで変化しない。
【００１８】
しかし、図２（ｄ）に示すように、補助磁石２を併設した切換型リードスイッチ１に、補助磁石２の磁極の方向と反対方向の磁極を有する動作用磁石３を接近させると、切換型リードスイッチ１を通る磁束は打ち消しあって弱まるので、常閉接点1bがＯＮに、常開接点1aがＯＦＦに切り換わる。
【００１９】
この発明の引き違い窓の開窓検知装置は、以上で説明した動作原理に基づくものであって、図１に示すように、非磁性材料で作った細長い筐体５の両端部近傍に、補助磁石２を添設した２つの切換型リードスイッチ１を離して設ける。そして、これら２つの補助磁石２の磁極の方向を反対方向に設定する。
【００２０】
そして、２つの切換型リードスイッチ１の各常閉接点1bを直列に接続して、２つの端子４に結合する。この端子４は、筐体５より外に電線を引き出すための端子である。
【００２１】
図１（ａ）に示すように、全閉状態における内側窓91と外側窓92との重なり部分93の近傍に、筐体５に収められた開窓検知ユニットを設置する。
【００２２】
全閉状態において、筐体５内の２つの切換型リードスイッチ１に対向する内側窓91および外側窓92の位置にそれぞれ動作用磁石３を取り付ける。この動作用磁石３の磁極の方向は、２つの切換型リードスイッチ１に添設した補助磁石２の磁極の方向と反対方向に設定する。
【００２３】
全閉状態にいては、２つの切換型リードスイッチ１の常閉接点1bを閉じて２つの端子４の間に閉回路を形成している。内側窓91または外側窓92が開けられると、窓の動作用磁石３が開窓検知ユニットから離れるので、切換型リードスイッチ１の常開接点1aを閉じて常閉接点1bを開き、２つの端子４の間は開路されて警報を発することができる。
【００２４】
図１（ｂ）に示すように、内側窓91および外側窓92の左右の両側に隙間を形成するように両窓が開けられて、２つの切換型リードスイッチ１に２つの動作用磁石３がそれぞれ対向しても、切換型リードスイッチ１の補助磁石２の磁極の方向と、窓の動作用磁石３の磁極の方向が同じであるから、切換型リードスイッチ１の常閉設定1bを開き、常開接点1aを閉じた状態を保って、接点1a、1bを反転させることはないのである。
【００２５】
このように、補助磁石２を添設した切換型リードスイッチ１は、接近する動作用磁石３の磁極の方向を識別して動作させることができる。
【００２６】
全閉状態にいて、補助磁石２を添設した切換型リードスイッチ１と動作用磁石３との間隔が、内側窓91においては狭く、外側窓92においては広くなり、切換型リードスイッチ１に作用する動作用磁石３の磁界の強度が相違するので、外側窓92においては大きいまたは強い動作用磁石３を使用する。
【符号の説明】
【００２７】
１  切換型リードスイッチ
２  補助磁石
３  動作用磁石
４  端子
５  筐体
６  リードスイッチ
７  磁石
８  窓枠
91  内側窓
92  外側窓
【図１】
0005765840.tif 000002
【図２】
0005765840.tif 000003
【図３】
0005765840.tif 000004
【図４】
0005765840.tif 000005